(57)【要約】  装置は、空中インバンド・オンチャンネル放送信号を受信し、放送信号から放送コンテンツを抽出するネットワーク受信機と、コンテンツを第１の受信機出力信号を介して複数のネットワークプレーヤ装置へ配信する出力とを有する。この装置により実施される方法も含まれる。
2010512070.tif 000002
【特許請求の範囲】
【請求項１】
空中インバンド・オンチャンネル放送信号を受信し、放送信号から放送コンテンツを抽出するネットワーク受信機と、
コンテンツを第１の受信機出力信号を介して１またはそれ以上のネットワークプレーヤ装置に配信する出力とより成る装置。
【請求項２】
ネットワーク受信機は、第１の受信機出力信号をネットワークアクセスプロトコルに従ってフォーマットするネットワーク受信機インターフェイスを含む請求項１の装置。
【請求項３】
ネットワーク受信機は、
放送信号をベースバンド信号に変換するフロントエンドと、
ベースバンド信号をプロトコルスタックに従って処理することにより中間信号を発生させるプロセッサとを含み、
ネットワーク受信機インターフェイスは中間信号を処理して出力信号を発生させる、請求項２の装置。
【請求項４】
中間信号は暗号化される請求項３の装置。
【請求項５】
ネットワーク受信機は、
放送信号をベースバンド信号に変換するフロントエンドと、
ベースバンド信号を処理して中間信号を発生させるプロセッサとを含み、
プロセッサは、放送信号がデジタル音声放送信号である場合はベースバンド信号をプロトコルスタックに従って処理し、放送信号がアナログ信号である場合はパルスコード変調信号を発生させる請求項１の装置。
【請求項６】
コンテンツは単一の放送チャンネルで受信される多数のプログラム及び／またはデータを含む請求項１の装置。
【請求項７】
受信機出力信号を受信するネットワークプレーヤインターフェイスと、受信機出力信号をネットワークアクセスプロトコルに従って処理してコンテンツを復元するプロセッサとを含むネットワークプレーヤを含むさらに備えた請求項１の装置。
【請求項８】
ネットワークプレーヤは命令及び状態情報をネットワーク受信機と交換する請求項７の装置。
【請求項９】
ネットワークプレーヤはさらに、ネットワーク受信機の機能を作動する制御手段を有するユーザーインターフェイスを含む請求項７の装置。
【請求項１０】
受信機出力信号を受信し、コンテンツくを１またはそれ以上のネットワークプレーヤに配信するネットワークルーターをさらに備えた請求項１の装置。
【請求項１１】
第２の空中インバンド・オンチャンネル放送信号を受信し、第２の放送信号から放送コンテンツを抽出する第２のネットワーク受信機と、
第２の受信機出力信号を介してさらに別のコンテンツを１またはそれ以上のネットワークプレーヤ装置に配信する第２の出力とをさらに備えた請求項１０の装置。
【請求項１２】
空中インバンド・オンチャンネル放送信号を受信し、放送信号から放送コンテンツを抽出するステップと、
第１の受信機出力信号を介してコンテンツを１またはそれ以上のネットワークプレーヤ
装置に配信するステップとより成る方法。
【請求項１３】
放送信号をベースバンド信号に変換するステップと、
ベースバンド信号をプロトコルスタックに従って処理することにより中間信号を発生させるステップと、
中間信号を処理して出力信号を発生させるステップとをさらに含む請求項１２の方法。
【請求項１４】
中間信号を暗号化するステップをさらに含む請求項１３の方法。
【請求項１５】
放送信号をベースバンド信号に変換するステップと、
ベースバンド信号を処理して中間信号を発生させるステップとより成り、
ベースバンド信号は、放送信号がデジタル音声放送信号であればプロトコルスタックに従って処理され、放送信号がアナログ信号であればパルスコード変調信号に変換される請求項１２の方法。
【請求項１６】
コンテンツは単一の放送チャンネルで受信される多数のプログラム及び／またはデータを含む請求項１２の方法。
【請求項１７】
受信機出力信号を受信するステップと、
受信機出力信号をネットワークアクセスプロトコルに従って処理することによりコンテンツを復元するステップをさらに含む請求項１２の方法
【請求項１８】
命令及び状態情報をネットワーク受信機とネットワークプレーヤとの間で交換するステップをさらに含む請求項１７の方法。
【請求項１９】
ネットワークプレーヤは、ネットワーク受信機の機能を作動する制御手段を有するユーザーインターフェイスを含む請求項１７の方法。
【請求項２０】
ネットワークルーターを用いて受信機出力信号を受信し、コンテンツを複数のネットワークプレーヤに配信するステップを含む請求項１２の方法。
【請求項２１】
インバンド・オンチャンネル放送から抽出した、複数のプロトコルデータユニットを含む信号を受信するインターフェイスと、
プロトコルデータユニットを論理プロトコルスタックに従って処理することによりコンテンツを復元するプロセッサとより成るネットワークプレーヤ。
【請求項２２】
前記インターフェイスは命令及び状態情報をネットワーク受信機と交換する請求項２１のネットワークプレーヤ。
【請求項２３】
ネットワーク受信機の機能を作動する制御手段を有するユーザーインターフェイスをさらに備えた請求項２１のネットワークプレーヤ。
【請求項２４】
論理プロトコルスタックはインバンド・オンチャンネルプロトコルスタックより成る請求項２のネットワークプレーヤ。
【請求項２５】
プロトコルデータユニットを記憶する記憶装置をさらに備えた請求項２１のネットワークプレーヤ。
【発明の詳細な説明】
【技術分野】
【０００１】
本発明は、ラジオ受信方法及び装置に係り、さらに詳細には、インバンド・オンチャンネル（ＩＢＯＣ）デジタル音声放送（ＤＡＢ）ラジオ信号を配信する方法及び装置に係る。
【背景技術】
【０００２】
ＩＢＯＣ ＤＡＢラジオ放送技術は、デジタル音声及びデータサービスを地上の送信機から移動式、携帯用及び固定式受信機へ既存の中波（ＭＦ）及び超短波（ＶＨＦ）ラジオバンドで提供するものである。ＩＢＯＣ ＤＡＢ信号は、アナログ変調キャリアを複数のデジタル変調キャリアと組み合わせたハイブリッドフォーマットかまたはアナログ変調キャリアを使用しない全デジタルフォーマットにより送信することが可能である。ハイブリッドモードを用いると、放送事業者はＡＭ及びＦＭ信号を、高品質で頑健性の高いデジタル信号と同時に継続して送信することができるため、事業者自身及びその聴取者は現在の割当周波数を維持しながらアナログラジオをデジタルラジオに変換することができる。
【０００３】
デジタル送信システムの特徴の１つはデジタル化された音声とデータとを同時に送信できる固有の能力にある。従って、この技術によると、ＡＭ及びＦＭラジオ局からの無線データサービスも可能となる。放送信号はアーティスト、歌のタイトルまたは放送局の呼出符号のようなメタデータを含むことができる。イベント、交通及び天気についての特殊なメッセージも含めることが可能である。例えば、ユーザーはラジオ局からの放送を聴きながらラジオ受信機のディスプレイ上で交通情報、天気予報、ニュース及びスポーツの結果をスクロールして見ることができる。
【０００４】
ＩＢＯＣ ＤＡＢ技術は、既存のアナログ放送フォーマットより優れたデジタル品質の音声を提供可能である。各ＩＢＯＣ ＤＡＢ信号は既存のＡＭまたはＦＭ割り当てチャンネルのスペクトルマスク内で送信されるため、スペクトルを新しく割り当てる必要がない。ＩＢＯＣ ＤＡＢは、放送事業者がデジタル品質の音声を現在の聴取者に提供しながらスペクトルの経済的利用を促進する。
【０００５】
ＡＭまたはＦＭスペクトルの１つのチャンネルにより幾つかのプログラムまたはデータ列を配信できるマルチキャスティング技術を用いると、放送局は多数のデータ列を主要周波数の別個の補充またはサブチャンネル上で放送することができる。例えば、多数のデータ列は予備の音楽フォーマット、地域の交通、天気、ニュース及びスポーツ情報を含むことができる。補充チャンネルには伝統的な放送局の周波数と同じように同調または探索機能を用いてアクセスすることが可能である。例えば、アナログ変調信号の中心周波数が９４．１ＭＨｚであれば、ＩＢＯＣ ＤＡＢにおける同じ放送の補充チャンネルを９４．１−１、９４．１−２及び９４．１−３にすることができる。補充チャンネル上の極めて特殊なプログラムを的を絞った聴取者に提供することにより、広告提供者はそのブランドをプログラムのコンテンツと一体化する機会を増加することができる。
【０００６】
The National Association of Broadcasters and the Consumer Electronics AssociationがスポンサーであるThe National Radio Systems Committeeは、２００５年９月にＮＲＳＣ−５Ａという表示名のＩＢＯＣ規格を採択した。ＮＲＳＣ−５Ａは、本願の一部として引用するが、デジタル音声及び補助的データをＡＭ及びＦＭ放送チャンネルで放送するための条件を明らかにしている。その規格及び参考文書は、ＲＦ／送信サブシステム及びそのシステムのトランスポート及びサービス多重化サブシステムについての詳細な説明を含んでいる。その規格のコピーはＮＲＳＣから
http://www.nrscstandards.org/standards.asp で入手可能である。ＨＤラジオ（商標）技術はアイビキュイティ・デジタル・コーポレイションにより開発されたもので、ＮＲＳＣ５Ａ ＩＢＯＣ規格を実現したものである。ＨＤラジオ技術に関するさらなる情報は
www.hdradio.comまたはwww.ibiquity.comで入手可能である。
【０００７】
ＩＢＯＣ ＤＡＢ受信機が受信するプログラム材及び／または情報を家庭またはオフィスのネットワークのようなローカルエリアネットワークへアクセスできる複数のユーザーへ配信可能な方法及び装置を提供することが望ましい。さらに、かかる方法及び装置を用いて、コンテンツを受信するコンピュータ、テレビまたはホームシアター、携帯電話、パーソナル音楽プレーヤ及び他の携帯デバイスのような多種多様な装置を有するユーザーへ配信できるような柔軟性及び構成変更能力の高いシステムが望ましい。さらに、受信信号の種々のユーザーは単一のＩＢＯＣ ＤＡＢチャンネルにより送信される種々のプログラムまたはデータ列に興味を示すであろう。従って、種々のユーザーが単一のチャンネル上で送信される多種多様なプログラム及びデータサービスにアクセスするのを可能にする方法及び装置を提供することが望ましい。
【発明の概要】
【０００８】
本発明は、第１の局面において、空中インバンド・オンチャンネル放送信号を受信し、放送信号から放送コンテンツを抽出するネットワーク受信機と、該コンテンツを第１の受信機出力信号を介して１またはそれ以上のネットワークプレーヤ装置へ配信する出力とを有する装置を提供する。
【０００９】
このネットワークは、第１の受信機出力信号をネットワークアクセスプロトコルに従ってフォーマットするためのネットワーク受信インターフェイスを含むことができる。ネットワーク受信機は、放送信号をベースバンド信号へ変換するフロントエンドと、ベースバンド信号をプロトコルスタックに従って処理することにより中間信号を発生させるプロセッサとを含むこともできるが、このネットワーク受信機インターフェイスは、中間信号を処理して出力信号を発生させる。中間信号は暗号化することが可能である。
【００１０】
この装置はさらに、受信機出力信号を受信するネットワークプレーヤインターフェイスと、受信機出力信号をネットワークアクセスプロトコルに従って処理することによりコンテンツを復元するプロセッサとを含むことができる。ネットワークプレーヤは命令及び状態情報をネットワーク受信機と交換することができる。ネットワーク受信機の機能を作動させる制御手段を有するユーザーインターフェイスも含めることができる。
【００１１】
受信機出力信号を受信し、コンテンツを１またはそれ以上のネットワークプレーヤに配信するネットワークルーターも含めることができる。さらに別のネットワーク受信機を用いてさらに別の空中インバンド・オンチャンネル放送信号を受信し、この別の放送信号から放送コンテンツを抽出し、抽出したこの別のコンテンツを第２の受信機出力信号を介して１またはそれ以上のネットワークプレーヤ装置へ配信することが可能である。
【００１２】
本発明は、別の局面において、空中インバンド・オンチャンネル放送信号を受信し、放送信号から放送コンテンツを抽出し、このコンテンツを第１の受信機出力信号を介して１またはそれ以上のネットワークプレーヤ装置へ配信するステップを含む方法を提供する。
【００１３】
この方法はさらに、放送信号をベースバンド信号へ変換し、ベースバンド信号をプロトコルスタックに従って処理して中間信号を発生させ、中間信号を処理して出力信号を発生させるステップを含むことができる。中間信号は暗号化することが可能である。コンテンツは単一の放送チャンネルにより受信される多数のプログラム及び／またはデータを含むことができる。
【００１４】
本発明は、さらに別の局面において、インバンド・オンチャンネル放送信号から抽出される、複数のプロトコルデータユニットを含む信号を受信するインターフェイスと、プロトコルデータユニットを論理プロトコルスタックに従って処理することによりコンテンツを復元するプロセッサとより成るネットワークプレーヤを提供する。このインターフェイスは命令及び状態情報をネットワーク受信機と交換することができる。ネットワーク受信機の機能を作動する制御手段を備えたユーザーインターフェイスを含めることも可能である。ネットワークプレーヤはさらにプロトコルデータユニットを記憶するための記憶装置を含むことができる。
【図面の簡単な説明】
【００１５】
【図１】インバンド・オンチャンネルデジタル音声放送システムに用いる送信機のブロック図である。
【図２】ハイブリッドＦＭ ＩＢＯＣ波形の概略図である。
【図３】拡張ハイブリッドＦＭ ＩＢＯＣ波形の概略図である。
【図４】全デジタルＦＭ ＩＢＯＣ波形の概略図である。
【図５】ハイブリッドＡＭ ＩＢＯＣ ＤＡＢ波形の概略図である。
【図６】全デジタルＡＭ ＩＢＯＣ ＤＡＢ波形の概略図である。
【図７】ＡＭ ＩＢＯＣ ＤＡＢ受信機の機能ブロック図である。
【図８】ＦＭ ＩＢＯＣ ＤＡＢ受信機の機能ブロック図である。
【図９】ＩＢＯＣ ＤＡＢ受信機の単純化したブロック図である。
【図１０ａ】ＩＢＯＣ ＤＡＢ論理プロトコルスタックを示す。
【図１０ｂ】ＩＢＯＣ ＤＡＢ論理プロトコルスタックを示す。
【図１１】ＩＢＯＣ ＤＡＢネットワーク受信機の単純化したブロック図である。
【図１２】ＩＢＯＣ ＤＡＢネットワークプレーヤの単純化したブロック図である。
【図１３】ＩＢＯＣ ＤＡＢネットワーク受信機及び幾つか異なる種類のＩＢＯＣ ＤＡＢネットワークプレーヤを含むネットワークの概略図である。
【図１４】ＩＢＯＣ ＤＡＢネットワーク受信機及びテレビを含む別のネットワークを示す概略図である。
【図１５】複数のＩＢＯＣ ＤＡＢネットワーク受信機を含む別のネットワークの概略図である。
【好ましい実施例の詳細の説明】
【００１６】
図面を参照して、図１はＦＭ ＩＢＯＣ ＤＡＢ信号の放送に使用可能なスタジオサイト１０、ＦＭ送信機サイト１２及びスタジオから送信機へのリンク（ＳＴＬ）１４に関連するコンポーネントを示す機能的ブロック図である。スタジオサイトは、とりわけ、スタジオ自動化装置３４、アンサンブル・オペレーションズ・センター（ＥＯＣ）１６及びスタジオ送信機リンク（ＳＴＬ）の送信機４８を含み、ＥＯＣはインポータ１８、エクスポータ２０及びエキサイタ補助サービスユニット（ＥＡＳＵ）２２を含む。送信機サイトはＳＴＬ受信機５４、エキサイタエンジン(exgine）サブシステム５８を含むデジタルエキサイタ５６及びアナログエキサイタ６０を含む。図において、エクスポータはラジオ局のスタジオサイトに常駐し、エキサイタは送信機サイトに位置するが、これらの要素を共に送信機サイトに配置することが可能である。
【００１７】
スタジオサイトでは、スタジオ自動化装置は主プログラムサービス（ＭＰＳ）音声４２をＥＡＳＵへ、ＭＰＳデータ４０をエクスポータへ、補充プログラムサービス（ＳＰＳ）音声３８をインポータへ、またＳＰＳデータ３６をインポータへ供給する。ＭＰＳ音声は主音声プログラミングソースとして働く。ハイブリッドモードでは、それはアナログ及びデジタル送信の両方で既存のアナログラジオプログラミングフォーマットを維持する。プログラムサービスデータ（ＰＳＤ）としても知られるＭＰＳデータは、音楽タイトル、ア
ーティスト、アルバム名などのような情報を含む。補充プログラムサービスはプログラム関連データだけでなく補充音声コンテンツを含むことができる。
【００１８】
インポータは最新アプリケーションサービス（ＡＡＳ）を供給するすハードウェア及びソフトウェアを含む。「サービス」はＩＢＯＣ ＤＡＢ放送を介してユーザーへ送られるコンテンツであり、ＡＡＳはＭＰＳまたはＳＰＳとして分類されない任意タイプのデータを含むことができる。ＡＡＳデータの例にはリアルタイム交通及び天気情報、ナビゲーション地図更新情報または他の画像情報、電子プログラムガイド、マルチキャストプログラミング、マルチメディアプログラミング情報、他の音声サービス及び他のコンテンツを含む。ＡＡＳのコンテンツはサービスプロバイダ４４が供給できるが、このサービスプロバイダはサービスデータ４６をアプリケーション・プログラム・インターフェイス（ＡＰＩ）を介してインポータへ提供する。サービスプロバイダはスタジオサイトに位置するかまたは外部にソースがある放送事業者でもよく、インポータは多数のサービスプロバイダ間のセッションの接続を確立することができる。インポータはサービスデータ４６、ＳＰＳ音声３８、ＳＰＳデータ３６を符号化及び多重化してエクスポータリンクデータ２４を発生させるが、このデータはデータリンクを介してエクスポータへ出力される。
【００１９】
エクスポータ２０は、主プログラムサービス及び局情報サービス（ＳＩＳ）を放送のために供給するに必要なハードウェア及びソフトウェアを含む。ＳＩＳはコールサイン、絶対時間、ＧＰＳに関連する位置情報などのような局情報を提供する。エクスポータはデジタルＭＰＳ音声２６を音声インターフェイスを介して受取り、この音声を圧縮する。エクスポータはまた、ＭＰＳデータ４０、エクスポータリンクデータ２４及び圧縮したデジタルＭＰＳ音声２８を多重化してエキサイタリンクデータ５２を発生させる。加えて、エクスポータはその音声インターフェイスを介してアナログＭＰＳ音声２８を受け入れ、予めプログラムされた遅延を適用して遅延済みアナログＭＰＳ音声信号３０を発生させる。このアナログ音声はハイブリッドＩＢＯＣ ＤＡＢ放送のバックアップチャンネルとして放送可能である。この遅延はデジタルＭＰＳ音声のシステム遅延を補償するものであり、受信機は時間のシフトなしにデジタルプログラムとアナログプログラムを混合することができる。ＡＭ送信システムでは、遅延済みＭＰＳ音声信号３０はエクスポータによりモノラル信号に変換され、エキサイタリンクデータ５２の一部としてＳＴＬへ直接送られる。
【００２０】
ＥＡＳＵ２２はスタジオ自動化装置からＭＰＳ音声４２を受け取り、それを適当なシステムクロックへレート変換し、その信号の２つのコピー、即ち１つのデジタルコピー（２６）と、１つのアナログコピー（２８）を出力する。ＥＡＳＵはアンテナ２５に接続されたＧＰＳ受信機を含む。ＧＰＳ受信機は、ＥＡＳＵがＧＰＳユニットを使用してエキサイタクロックへ同期されるマスタークロック信号の抽出を可能にする。ＥＡＳＵはエクスポータにより使用されるマスターシステムクロックを提供する。ＥＡＳＵはまた、エクスポータが壊滅的な故障によりもはや作動状態にない場合に、エクスポータを経由しないようにアナログＭＰＳ音声をバイパス（または経路指定）するために使用される。
【００２１】
ＳＴＬ送信機４８は、遅延済みアナログＭＰＡ音声５０と、エキサイタリンクデータ５２とを受信する。この送信機はエキサイタリンクデータ及び遅延済みアナログＭＰＳ音声を単方向または双方向のいずれかであるＳＴＬリンク１４を介して出力する。ＳＴＬリンクは、例えば、デジタルマイクロ波またはイサーネットリンクでよく、標準のユーザーデータグラムプロトコル(User Datagram Protocol)または標準のＴＣＴ／ＩＰを使用してもよい。
【００２２】
送信機サイトは、ＳＴＬ受信機５４、エキサイタ５６及びアナログエキサイタ６０を含む。ＳＴＬ受信機５４は、音声及びデータ信号と共に命令及び制御メッセージを含むエキサイタリンクデータをＳＴＬリンク１４を介して受信する。エキサイタリンクデータはＩ
ＢＯＣ ＤＡＢ波形を発生させるエキサイタ５６へ送られる。エキサイタは、ホストプロセッサ、デジタルアップコンバータ、ＲＦアップコンバータ及びエックスジン(exgine)サブシステム５８を含む。エックスジンは、エキサイタリンクデータを受けてＩＢＯＣ ＤＡＢ波形のデジタル部分を変調する。エキサイタ５６のデジタルアップコンバータは、エックスジン出力のベースバンド部分をデジタルからアナログへ変換する。デジタルからアナログへの変換は、ＥＡＳＵから抽出されるエクスポータのＧＰＳに基づくクロックの変換と同様に、ＧＰＳクロックに基づく。したがって、エキサイタ５６はＧＰＳユニット及びアンテナ５６を含む。エクスポータクロックとエキサイタクロックを同期させる別の方法は、本願の一部として引用する米国特許出願第１１／０８１，２６７号（公開番号第２００６／０２０９９４１ Ａ１）に記載されている。エキサイタのＲＦアップコンバータはアナログ信号を適当なインバンドチャンネル周波数へ上方変換する。上方変換された信号はその後、高出力増幅器６２及びアンテナ６４へ送られて放送される。ＡＭ送信システムでは、エックスジンサブシステムはバックアップアナログＭＰＳ音声をハイブリッドモードにおいてデジタル波形にコヒーレントに付加するため、ＡＭ送信システムにはアナログエキサイタ６０を含まれない。加えて、エキサイタ５６は位相及び振幅情報を発生し、アナログ信号は直接、高出力増幅器へ出力される。
【００２３】
ＩＢＯＣ ＤＡＢ信号は種々の波形を用いてＡＭ及びＦＭラジオバンドの両方で送信可能である。これらの波形には、ＦＭハイブリッドＩＢＯＣ ＤＡＢ波形、ＦＭ全デジタルＩＢＯＣ  ＤＡＢ波形、ＡＭハイブリッドＩＢＯＣ ＤＡＢ波形、ＡＭ全デジタルＩＢＯＣ ＤＡＢ波形を含まれる。
【００２４】
図２は、ハイブリッドＦＭ ＩＢＯＣ波形７０の概略図である。この波形は、放送チャンネル７４の中心に位置するアナログ変調信号７２と、上側波帯７８にある第１の複数の等間隔直交周波数分割多重化サブキャリア７６と、下側波帯８２にある第２の複数の等間隔直交周波数分割多重化サブキャリア８０とを含む。デジタル変調サブキャリアは複数のパーティションに分割され、種々のサブキャリアが基準サブキャリアと表示されている。１つの周波数パーティションは、１８個のデータサブキャリアと１つの基準サブキャリアを含む１９個のＯＦＤＭサブキャリアより成る群である。
【００２５】
ハイブリッド波形は、アナログＦＭ変調信号にデジタル変調された一次主サブキャリアを加えたものである。これらのサブキャリアの周波数は等間隔であり、各サブキャリアの位置は−５４６から＋５４６まで番号を付してある。図２の波形では、サブキャリアは＋３５６から＋５４６及び−３５６から−５４６の位置にある。それぞれの一次主側波帯は１０個の周波数パーティションより成る。一次主側波帯に含まれるサブキャリア５４６及び−５４６はさらに別の基準サブキャリアである。各サブキャリアの振幅は振幅スケール係数によりスケーリングすることができる。
【００２６】
図３は、拡張ハイブリッドＦＭ ＩＢＯＣ波形９０の概略図である。拡張ハイブリッド波形は、ハイブリッド波形に存在する一次主側波帯に一次拡張側波帯９２、９４を付加することにより生まれる。サービスモードによるが、１個、２個または４個の周波数パーティションを各一次主側波帯の内側端縁部に付加することができる。拡張ハイブリッド波形は、アナログＦＭ信号に加えてデジタル変調一次主サブキャリア（サブキャリア＋３５６乃至＋５４６及び−３５６乃至−５４６）と、幾つかのまたは全ての一次拡張サブキャリア（サブキャリア＋２８０乃至＋３５５及び−２８０乃至−３５５）とを含む。
【００２７】
上方の一次拡張側波帯は、サブキャリア３３７乃至３５５（１つの周波数パーティション）、３１８乃至３５５（２つの周波数パーティション）または２８０乃至３５５（４つの周波数パーティション）を含む。下方の一次拡張側波帯は、サブキャリア−３３７乃至−３５５（１つの周波数パーティション）、−３１８乃至−３５５（２つの周波数パーテ
ィション）または−２８０乃至−３５５（４つの周波数パーティション）を含む。各サブキャリアの振幅は振幅スケール係数によりスケーリング可能である。
【００２８】
図４は、全デジタルＦＭ ＩＢＯＣ波形１００の概略図である。全デジタル波形はアナログ信号を停止し、一次デジタル側波帯１０２、１０４の帯域幅を完全に拡張し、アナログ信号により空いたスペクトルに低出力の二次側波帯１０６、１０８を付加することにより構成される。図示の実施例における全デジタル波形は、サブキャリア位置−５４６乃至＋５４６にデジタル変調サブキャリアを含むが、アナログＦＭ信号はない。
【００２９】
全デジタル波形の各一次側波帯には、１０個の主周波数パーティションに加えて全部で４個の拡張周波数パーティションが存在する。各二次パーティションは１０個の二次主（ＳＭ）周波数パーティション及び４個の二次拡張（ＳＸ）周波数パーティションをも有する。しかしながら、一次側波帯とは異なり、二次主周波数パーティションはチャンネルの中心に近い所にマッピングされ、拡張周波数パーティションは中心からさらに離れたところにある。
【００３０】
各二次側波帯はまた、１２個のＯＦＤＭサブキャリアと基準サブキャリア２７９、−２７９を含む小さな二次保護（ＳＰ）領域１１０、１１２をサポートする。これらの側波帯は、アナログまたはデジタル障害により影響を受ける可能性が最も少ないスペクトル領域に位置するため「保護」領域と呼ばれる。さらに別の基準サブキャリアがチャンネルの中心（０）に配置される。ＳＰ領域の周波数パーティションの順序はＳＰ領域が周波数パーティションを含まないため適用されない。
【００３１】
各二次主側波帯はサブキャリア１から１９０または−１から−１９０へまたがる。上方の二次拡張側波帯はサブキャリア１９１乃至２６６を含み、上方の二次保護側波帯はサブキャリア２６７乃至２７８と、さらに別の基準サブキャリア２７９を含む。下方の二次拡張側波帯はサブキャリア−１９１乃至−２６６を含み、下方の二次保護側波帯はサブキャリア−２６７乃至−２７８と、さらに別の基準サブキャリア−２７９を含む。完全デジタルのスペクトルの周波数の全幅は３９６，８０３Ｈｚである。各サブキャリアの振幅は振幅スケール係数によりスケーリング可能である。二次側波帯の振幅スケール係数はユーザーにより選択可能である。４つのうち任意の１つは二次側波帯に適用するために選択可能である。
【００３２】
各波形において、デジタル信号は直交周波数分割多重化（ＯＦＤＭ）により変調される。ＯＦＤＭは、データ列が同時に送信される多数の直交サブキャリアを変調する並列変調方式である。ＯＦＤＭは固有の柔軟性を備えており、種々の群のサブキャリアへの論理チャンネルのマッピングを容易に行なうことができる。
【００３３】
ハイブリッド波形では、デジタル信号はハイブリッド波形のアナログＦＭ信号の各側の一次主（ＰＭ）側波帯において送信される。各側波帯の出力レベルはアナログＦＭ信号の全出力よりもかなり低い。アナログ信号はモノラルまたはステレオであって、子機通信許可（ＳＣＡ）チャンネルを含む。
【００３４】
拡張ハイブリッド波形では、ハイブリッド側波帯の帯域幅はデジタル容量を増加するためにアナログＦＭ信号の方へ拡張可能である。各一次主側波帯の内側端縁部に割り当てられるこの付加的なスペクトルを一次拡張（ＰＸ）側波帯と呼ぶ。
【００３５】
全デジタル波形はアナログ信号がなく、一次デジタル側波帯の帯域幅は拡張ハイブリッド波形のように完全に拡張されている。加えて、この波形は低電力のデジタル二次側波帯をアナログＦＭ信号により空いたスペクトルで送信するのを可能にする。
【００３６】
図５は、ＡＭハイブリッドＩＢＯＣ ＤＡＢ波形１２０の概略図である。このハイブリッドフォーマットは、ほぼ３０ｋＨｚ幅のＤＡＢ信号１２４と共に従来のＡＭアナログ信号１２２（約±５ｋＨｚのバンドに制限されている）を含む。このスペクトルは約３０ｋＨｚの帯域幅を有するチャンネル１２６内に収まる。このチャンネルは上方の周波数バンド１３０と、下方の周波数バンド１３２とに分割される。上方のバンドは、チャンネルの中心周波数から中心周波数から約＋１５ｋＨｚ離れた所まで延びる。下方のバンドは中心周波数から約−１５ｋＨｚの所まで延びる。
【００３７】
ＡＭハイブリッドＩＢＯＣ ＤＡＢ信号フォーマットは、一例として、アナログ変調キャリア信号１３４と、上方及び下方のバンドをまたぐＯＦＤＭサブキャリア位置とより成る。送信すべき音声またはデータ信号（プログラム材）を表す符号化されたデジタル情報はこれらのサブキャリア上で送信される。シンボルレートはシンボル間のガード時間によりサブキャリアの間隔よりも小さい。
【００３８】
図５に示すように、上方のバンドは一次セクション１３６、二次セクション１３８及び三次セクション１４４に分割される。下方のバンドは一次セクション１４０、二次セクション１４２、三次セクション１４３に分割される。この説明のために、三次セクション１４３及び１４４は、図５において複数群のサブキャリア１４６、１４８、１５０、１５２を含むものと考えることができる。チャンネルの中心に近い所に位置する三次セクション内のサブキャリアを内側サブキャリアと呼び、チャンネルの中心から離れた所に位置する三次セクション内のサブキャリアを外側サブキャリアと呼ぶ。この例では、群１４８、１５０の内側サブキャリアの出力レベルは中心周波数からの周波数間隔が大きくなるに従って線形的に減少するように示されている。三次セクションの残りの群のサブキャリア１４６、１５２は実質的に一定の出力レベルである。図５はまた、システム制御のための２個の基準サブキャリア１５４、１５６を示すが、これらのレベルはそれ以外の側波帯とは異なる値に固定されている。
【００３９】
デジタル側波帯のサブキャリアの出力はアナログＡＭ信号の全出力よりも有意に低い。所与の一次または二次セクション内の各ＯＦＤＭサブキャリアのレベルは一定値に固定されている。一次または二次セクションは相対的にスケーリングすることが可能である。さらに、状態及び制御情報は主キャリアの両側に位置する基準サブキャリア上で送信される。ＩＢＯＣデータサービス（ＩＤＳ）チャンネルのような別個の論理チャンネルは、上方及び下方二次側波帯の周波数端縁部のすぐ上または下の個々のサブキャリアで送信可能である。各一次ＯＦＤＭサブキャリアの出力レベルは未変調主アナログキャリアに関して固定されている。しかしながら、二次サブキャリア、論理チャンネルサブキャリア及び三次サブキャリアの出力レベルは調整可能である。
【００４０】
アナログ変調キャリア及びデジタル変調サブキャリアは、図５の変調フォーマットを用いることにより、米国内での標準ＡＭ放送用として規定されたチャンネルマスク内で送信される。ハイブリッドシステムは同調及びバックアップのためにアナログＡＭ信号を使用する。
【００４１】
図６は、全デジタルＡＭ ＩＢＯＣ ＤＡＢ波形のサブキャリア割り当てを示す概略図である。全デジタルＡＭ ＩＢＯＣ ＤＡＢ信号１６０は主サブキャリアと呼ばれる第１及び第２の群の等間隔サブキャリアの１６２、１６４を含み、これらは上方及び下方バンド１６６、１６８に位置する。それぞれ二次及び三次サブキャリアと呼ぶ第３及び第４の群のサブキャリア１７０、１７２も上方及び下方バンド１６６、１６８内に位置する。第３の群の２つの基準サブキャリア１７４、１７６はチャンネル中心に最も近い所にある。サブキャリア１７８、１８０はプログラム情報データの送信に使用可能である。
【００４２】
図７は、ＡＭ ＩＢＯＣ ＤＡＢ受信機２００の単純化した機能的ブロック図である。受信機は、アンテナ２０４に接続された入力２０２と、チューナまたはフロントエンド２０６と、ライン２１０上にベースバンド信号を発生させるデジタルダウンコンバータ２０８とを含む。アナログ復調器２１２は、ベースバンド信号のアナログ変調部分を復調してライン２１４上にアナログ音声信号を発生させる。デジタル復調器２１６はベースバンド信号のデジタル変調部分を復調する。デジタル信号は、その後、デインターリーバ２１８によりデインターリービング処理を受け、ビタビ復号器２２０により復号される。サービス復調器２２２は主及び補充プログラム信号をデータ信号から分離する。プロセッサ２２４はプログラム信号を処理してライン２２６上にデジタル音声信号を発生させる。アナログ音声信号と主デジタル音声信号とをブロック２２８に示すように混合するかまたは補充デジタル音声信号がこのブロックを通過するようにしてライン２３０上に音声出力を発生させる。データプロセッサ２３２はデータ信号を処理し、ライン２３４、２３６及び２３８上にデータ出力信号を発生させる。データ信号は、例えば、局情報サービス（ＳＩＳ）、主プログラムサービスデータ（ＭＰＳＤ）、補充プログラムサービスデータ（ＳＰＳＤ）及び１またはそれ以上の補助アプリケーションサービス（ＡＡＳ）を含むことができる。
【００４３】
図８は、ＦＭ ＩＢＯＣ ＤＡＢ受信機２５０の単純化した機能的ブロック図である。この受信機は、アンテナ２５４に接続された入力２５２と、チューナまたはフロントエンド２５６と、ライン２６０上にベースバンド信号を発生させるデジタルダウンコンバータ２５８とを有する。アナログ復調器２６２はベースバンド信号のアナログ変調部分を復調してライン２６４上にアナログ音声信号を発生させる。側波帯信号はブロック２６６に示すように隔離され、フィルタリングを受けた後（ブロック２６８）、復調されて（ブロック２７２）、ベースバンド信号のデジタル変調部分が復調される。デジタル信号はその後、デインターリーバ２７４によるインターリービング処理を受け、ビタビ復号器２７６により復号される。サービス復調器２７８は主及び補充プログラム信号をデータ信号から分離する。プロセッサ２８０は主及び補充プログラム信号をデータ信号から分離する。プロセッサ２８０は主及び補充プログラム信号を処理してライン２８２上にデジタル音声信号を発生させる。アナログ音声信号と主デジタル音声信号とをブロック２８４で示すように混合するかまたは補充プログラム信号をそのブロックを通過させることによりライン２８６上に音声出力を発生させる。データプロセッサ２８８はデータ信号を処理し、ライン２９０、２９２及び２９４上にデータ出力信号を発生させる。データ信号は、例えば、局情報サービス（ＳＩＳ）、主プログラムサービスデータ（ＭＰＳＤ）、補充プログラムサービスデータ（ＳＰＳＤ）及び１またはそれ以上の補助アプリケーションサービス（ＡＡＳ）を含むことができる。
【００４４】
実際には、図７及び８の受信機に示す信号処理機能の多くは１またはそれ以上の集積回路を用いて実現することが可能である。
【００４５】
図９は、ＩＢＯＣ ＤＡＢ受信機３００のコンポーネントを示す単純化したブロック図である。この受信機はＦＭアンテナ３０４と、ＡＭアンテナ３０６とに接続する入力を備えたチューナ３０２を有する。このチューナはアナログフロントエンド回路３０８と、デジタル信号プロセッサ３１０とに接続されている。フロントエンド回路３０８は入力信号をベースバンドに変換する。デジタル信号プロセッサ３１０はベースバンド信号を処理してライン３１２及び３１４上にデジタル音声及びデータ出力信号を発生させる。デジタル−アナログコンバータ３１６がライン３１２上のデジタル信号をアナログ音声信号に変換するために設けられている。デジタル信号プロセッサが使用するためにメモリ３１８及び３２０が設けられている。マイクロプロセッサ３２２はチューナとデジタル信号プロセッサに接続されている。このマイクロプロセッサはまた、例えばディスプレイ、キーパッド、ロータリエンコーダ及び／または赤外線遠隔操作手段を含むことができるユーザーイン
ターフェイス３２４に結合されている。デジタル信号プロセッサからの音声出力信号は増幅器３２６により増幅され、スピーカまたはヘッドホン及びディスプレイを含むことができる出力装置３２８へ送ることが可能である。
【００４６】
図１０ａ及び１０ｂは、送信機の視点から見たＩＢＯＣ ＤＡＢ論理プロトコルスタックを示す図である。受信機の視点から見ると、論理スタックは反対方向に展開される。プロトコルスタック内の種々のエンティティ間を送られるデータの大部分はプロトコルデータユニット（ＰＤＵ）形式である。ＰＤＵはプロトコルスタックの特定のレイヤー（またはレイヤー内のプロセス）により発生される構造化したデータブロックである。所与のレイヤーのＰＤＵはスタックの次に高いレイヤーからのＰＤＵを包含しそして／またはそのレイヤー（またはプロセス）自体を起源とするコンテンツデータ及びプロトコル制御情報を含む場合がある。送信機プロトコルスタックの各レイヤー（またはプロセス）により発生されるＰＤＵは、受信機プロトコルスタックの対応レイヤー（またはプロセス）への入力である。
【００４７】
図１０ａ及び１０ｂに示すように、構成及び制御情報をプロトコルスタック内の種々のエンティティへ供給するシステム機能である構成アドミニストレータ３３０がある。この構成／制御情報はユーザーが規定する設定と、ＧＰＳ時間及び位置のようなシステム内から発生される情報を含むことができる。サービスインターフェイス３３１はＳＩＳを除く全てのサービスのためのインターフェイスを表す。このサービスインターフェイスは種々のタイプのサービスのそれぞれにとって異なる場合がある。例えば、ＭＰＳ音声及びＳＰＳ音声では、サービスインターフェイスは音声カードの場合がある。ＭＰＳデータ及びＳＰＳデータでは、インターフェイスは異なるアプリケーションプログラムインターフェイス（ＡＰＩ）より成る。他の全てのデータサービスでは、インターフェイスは単一のＡＰＩより成る。音声コーデック３３２はＭＰＳ音声及びＳＰＳ音声の両方を符号化してＭＰＳ及びＳＰＳ符号化パケット列を発生させ、これらのパケット列は音声トランスポート３３３へ送られる。音声コーデック３３２はまた、未使用容量状態をシステムの他の部分へ中継することによりオポチュニスティックデータを含めるのを可能にする。ＭＰＳ及びＳＰＳデータはプログラムサービスデータ（ＰＳＤ）トランスポート３３４により処理されてＭＰＳ及びＳＰＳデータＰＤＵを発生させ、これらは音声トランスポート３３３へ送られる。音声トランスポート３３３は符号化された音声パケット及びＰＳＤ ＰＤＵを受信し、圧縮された音声及びプログラムサービスデータを両方含むビット列を出力する。ＳＩＳトランスポート３３５は構成アドミニストレータからＳＩＳデータを受信し、ＳＩＳ ＰＤＵを発生させる。ＳＩＳ ＰＤＵは局同定及び位置情報と共にＧＰＳに関連する絶対時間及び位置情報を含むことができる。ＡＡＳトランスポート３３６は音声トランスポートからのオポチュニスティック帯域幅データだけでなくサービスインターフェイスからのＡＡＳデータを受信し、サービスパラメータの品質に基づかせることが可能なＡＡＳデータＰＤＵを発生させる。レイヤー２（３３７）はＳＩＳトランスポート、ＡＡＳデータトランスポート及び音声トランスポートからトランスポートＰＤＵを受信し、それらをフォーマットしてレイヤー２ＰＤＵにする。レイヤー２ＰＤＵはプロトコル制御情報及びペイロードを含むが、これらは音声、データまたは音声とデータの組み合わせの場合がある。レイヤー２ＰＤＵは正確な論理チャンネルを通ってレイヤー１（３３８）へ経路指定される。サービスモードに応じて多数のレイヤー１論理チャンネルが存在する。アクティブなレイヤー１論理チャンネルの数及びそれらを規定する特性はサービスモードにより異なる。状態情報もレイヤー２とレイヤー１との間で送られる。レイヤー１はレイヤー２からのＰＤＵ及びシステム制御情報を送信するためにＡＭまたはＦＭ ＩＢＯＣ ＤＡＢ波形に変換する。レイヤー１の処理にはスクランブリング、チャンネル符号化、インターリービング、ＯＦＤＭサブキャリアのマッピング及びＯＦＤＭ信号の発生を含むことができる。ＯＦＤＭ信号発生の出力は特定のシンボルについてＩＢＯＣ信号のデジタル部分を表す複素ベースバンド時間���域パルスである。離散シンボルを連接処理して連続した時間領域波形
を発生させるが、これを変調すると送信用のＩＢＯＣ波形となる。
【００４８】
図１１は、ＩＢＯＣ ＤＡＢネットワーク受信機のコンポーネントを示す単純化したブロック図である。ネットワーク受信機３４０はラジオ信号を受信するためにＡＭアンテナ３４２及びＦＭアンテナ３４３に接続する入力を備えたチューナ３４１を有するが、これらのラジオ信号は全デジタル、全アナログまたはハイブリッドＩＢＯＣ波形で変調可能である。チューナは中間集積回路（ＩＦ）信号３４４を発生し、この信号はフロントエンド回路３４５へ送られるが、この回路はＩＦ信号をベースバンド信号３４６に変換する。デジタル信号プロセッサ（ＤＳＰ）３４７は以下にさらに詳説するようにベースバンド信号を処理する。ＤＳＰが使用するためのメモリ３４８、３４９が設けられている。ＤＳＰとチューナとフロントエンドとの間には命令及び状態情報３５０が相互に送られる。受信信号が全デジタルまたはハイブリッドＩＢＯＣ波形で変調されている場合、ＤＳＰ３４７は、受信機の視点で見た図１０ａ、１０ｂに記載した論理プロトコルスタックに従ってベースバンド信号を処理することにより、符号化音声コンテンツ及びデータより成る出力信号３５１（中間信号とも呼ぶ）を発生させる。受信信号が純粋にアナログである場合、プロトコルスタックに従う信号処理はバイパスされ、信号プロセッサが未符号化、標準パルスコード変調（ＰＣＭ）音声信号を出力する。中間信号３５１の暗号化はオプションでよい。機能的には、信号３５１を発生させるために、ネットワーク受信機は図７及び８に関連して説明したと同じ機能の多くを実行する。中間信号３５１はネットワークインターフェイス３５２へ送られるが、このインターフェイスは出力のための信号３５３を適当なネットワークアクセスプロトコルに従ってフォーマットすることにより、直接またはネットワークルーターを介して１またはそれ以上のネットワークプレーヤへ送信する。出力信号を受信機出力信号と呼ぶ。
【００４９】
任意適当なネットワークアクセスプロトコルを使用することができる。例えば、ネットワークインターフェイスは有線イサーネット接続または有線ＵＳＢ接続によりルーターへ送信するためにその信号をフォーマットすることができる。ネットワークインターフェイスはまた、例えば、ＩＥＥＥ８０２．１１（“Ｗｉ−Ｆｉ”）、ＩＥＥＥ８０１．１６（“ＷｉＭＡＸ”）、ＩＥＥＥ８０２．２０（“ＷＭＢＡ”）仕様、またはＢｌｕｅｔｏｏｔｈに従うなどして信号を無線送信するためにフォーマットすることができる。ネットワークインターフェイスは、有線または無線の何れかによりネットワークプレーヤへ直接接続するために信号を出力するここともできる。直接有線接続は、ＬＶＤＳのようなデジタル差動接続かまたはハイエンドの家庭用音声システムに用いられているような特殊なプロトコルを使用できるが、無線接続は上述したプロトコルのうち任意のものを用いてもよい。ユーザーはネットワークプレーヤへの直接接続とルーターを介するネットワーク接続との間で、ネットワーク受信機の外部にあるスイッチをフリップするかボタンを押すことによって選択することが可能である。ネットワーク受信機とネットワークプレーヤとの間で命令及び状態情報３５４、３５５が送受信される。命令情報には、例えばネットワーク受信機により受信中の周波数を変化させるような命令を含めることができる。ネットワーク受信機は、ネットワークインターフェイスにより実現される送信プロトコルを実行するイサーネットまたはＵＳＢ接続ポイント及びアンテナのような必要なハードウェアを含む。
【００５０】
図１２は、ＩＢＯＣネットワークプレーヤのコンポーネントの単純化したブロック図である。ネットワークプレーヤは符号化された音声及びデータ３６０を含む受信機出力信号を受信し、ネットワーク受信機が用いる適当なネットワークプロトコルに従って共にフォーマットされた命令及び状態情報３６１を受信する。ネットワークインターフェイス３６２は、ネットワークアクセスプロトコルに従ってそれらの信号を処理することにより、未フォーマット、符号化音声及びデータ信号３６３を発生させる。ネットワークインターフェイスはまた、状態及び制御情報３６４をプロセッサまたはマイクロコントローラ３６５との間で送受信する。マイクロコントローラは符号化された音声信号３６６を復号するた
めに音声復号器３６７へ出力する。復号された音声信号３６８はデジタル−アナログコンバータ３６９及び増幅器３７０へ送られ、この増幅器がアナログ音声信号３８１をスピーカまたはヘッドホンのような音声出力装置３８２へ送る。あるいは、復号された音声信号をデジタル増幅器へ送り、デジタル増幅器により音声信号を音声出力装置へ供給して出力することも可能である。マイクロコントローラはまた、符号化されたデータ３７２をデータ復号器３７３へ出力し、この復号器がそのデータを復号して復号済みデータ信号３７４をマイクロコントローラへ出力する。マイクロコントローラは命令及び状態情報３７５、３７６をデータ復号器及び音声復号器と交換する。マイクロコントローラは復号済みデータ３７７をユーザーインターフェイス３７８へ送るが、このインターフェイスはディスプレイ３７９を含む。命令及び状態情報３８０はまた、マイクロプロセッサと、ユーザーインターフェイスとの間で交換される。ユーザーインターフェイス３７８はユーザーが作動するための制御手段を含む。これらの制御手段により、ユーザーは、例えば、受信する局の周波数の変更、音声出力の音量の増減、主プログラムと二次的プログラムの間の選択、受信データに対する応答、電子プログラムガイドの使用または記憶と再生機能の利用のような種々の機能を実行することができる。制御手段は、ボタン、スイッチ及び他の作動機構だけで、あるいはソフトウェアにより実現されるグラフィックユーザーインターフェイスと組み合わせることにより実現することができる。
【００５１】
図１３は、本発明に従って構成されるネットワーク受信機４３２を含むシステム４３０のブロック図である。ネットワーク受信機はＩＢＯＣ ＤＡＢ信号を受信し、１またはそれ以上の受信機出力信号を発生する。出力信号はその後、有線または無線通信リンクによりネットワークインターフェイス装置（ルーターまたはハブとも呼ばれる）４３４へ送られる。ルーターは信号を受信して経路指定できる任意タイプのネットワーク装置でよく、現在、当該技術分野でよく知られており、家庭用、オフィス用またはその他の任意のローカルネットワーク用として市販されているものを含む。その後、ルーターは信号を１またはそれ以上のネットワークプレーヤ４３６−４４４へ経路指定する。ネットワークプレーヤとしては、例えば、コンピュータ４３６、パーソナル音声プレーヤ４３８、電話４４０を含むことができるが、この電話には移動電話または携帯電話もしくはＶｏＩＰコンパチブル電話、テレビ４４２及びゲーム装置４４４がある。ネットワーク受信機は家庭またはオフィスの任意便利なＲＦ受信ポイントに接続することができる。種々のプレーヤを含めることができるが、ネットワーク受信機は全てのシステムにおいて同じであってもよい。各ネットワークプレーヤ装置は、そのプレーヤに音声及びデータ成分を含む、レイヤーＬ２乃至Ｌ４に対応するＩＢＯＣ信号を受信し取り扱う能力を提供し、適当なユーザーインターフェイスを駆動するソフトウェアを必要とする。このソフトウェアは、ラップトップ、デスクトップコンピュータまたは小型の電話の場合の如くプレーヤがインターネットアクセス能力を備えている場合に特に適当であるように、ウェブサイトにアクセスし、ソフトウェアをプレーヤ上にダウンロードすることを含む種々の方法によって取得し、プレーヤ上にロードすることが可能である。携帯電話の場合、ユーザーはウェブサイトにアクセスし、ソフトウェアをリクエストした後、ユーザーの携帯電話のサービスプロバイダによりその電話にロードする。適当なグラフィックユーザーインターフェイスは、携帯電話または携帯用装置上のボタンのようなプレーヤの制御ポイントだけでなくプレーヤのディスプレイのサイズ及び能力によって異なる。ユーザーインターフェイスは、ユーザーが、例えば特定の局に同調し、その局により放送されるコンテンツチャンネル内のプログラムを選択し、記憶した材料にアクセスして実行し、コンテンツを記録し、データコンテンツに対して対話するのを可能にするであろう。
【００５２】
図１３の例では、単一のネットワーク受信機が単一のチューナを含むため、一度に一人の人間が聴取中の局を制御することができるに過ぎない。制御中のプレーヤは、ログオンするかまたは他のやり方で受信機出力へのアクセスをリクエストすることによりネットワーク受信機との対話を開始する第１のプレーヤでありうる。ユーザーが主要なプログラム
音声及び１またはそれ以上の補充音声プログラムを放送する局をリクエストすると、１つの実施例において、ネットワーク受信機はプレーヤがリクエストするプログラムと共にその任意の関連データを経路指定する。あるいは、ネットワーク受信機は単一の局からの全部のコンテンツを１つの束として経路指定することがあるが、その場合にはネットワークプレーヤはそのコンテンツを構文解析してユーザーにより選択された特定のプログラムだけを再生する。他の子機プレーヤも制御中のプレーヤにより選択されたものと同じチャンネル上で入手可能なコンテンツにアクセスすることが可能である。例えば、単一のチャンネルが主要な音声プログラムと２つの補充プログラムを含む場合、ネットワーク上の任意のプレーヤはこれら３つのプログラムのうちの任意の１つの受信をリクエストすることができる。１つの実施例において、ネットワーク受信機はネットワークプレーヤからリクエストされた各プログラムをそれぞれ別個に経路指定する。あるいは、ネットワーク受信機は単一のチャンネル上の全てのコンテンツを１つの束として経路指定してもよいが、その場合にはネットワークプレーヤがコンテンツを構文解析して特定のユーザーにより選択されたプログラムだけを再生する。
【００５３】
単一のネットワーク受信機は任意の数のネットワークプレーヤにコンテンツを提供できる。例えば、ネットワーク受信機はスポーツ競技場に設置することが可能である。野球の試合のようなスポーツイベントの観客は、その試合に関するスポーツキャスターのコメントを他の関連の音声またはデータコンテンツと共に視聴するのを望むであろう。ラジオ局または他のソースはこのコンテンツを作成した後、放送することが可能である。ネットワーク受信機はこの放送を受信し、そのコンテンツを、その信号を受信可能な競技場の任意のネットワークプレーヤに経路指定する。ネットワークプレーヤはさらに、小箱として隠すことが可能なアダプタを備えた１またはそれ以上のテレビ受像機（有線または無線接続）を含むことができる。
【００５４】
上述した実施例において、ネットワーク受信機とネットワークプレーヤは協働して、論理プロトコルスタックに従う受信信号の必要な処理を行なうことにより音声出力及びデータ出力を発生させ、ユーザーインターフェイスの機能を提供する。例えば、ネットワーク受信機はプロトコルスタックのレイヤーＬ２を介してその信号処理を行なった後、Ｌ２ ＰＤＵをネットワークプレーヤに経路指定して必要な処理を完了することができる。別例として、ネットワーク受信機はプロトコルスタックのレイヤーＬ４を介して信号処理を行なった後にＬ４ ＰＤＵをネットワークプレーヤに経路指定して処理を完了することが可能である。さらに別のやり方として、ネットワーク受信機はネットワークプレーヤへの経路指定のために完全復号化ＰＣＭ信号を発生することができる。加えて、ネットワーク受信機はプロトコルスタックの特定のレイヤーからのＰＤＵを記憶装置へ経路指定することが可能である。ＰＤＵはその後、ネットワークプレーヤまたは他の装置が回収して処理を完了することができる。記憶したＰＤＵは、処理を完了できる別の場所へ、インターネットのようなワイドエリアネットワークを介して配信することも可能である。
【００５５】
図１４は、本発明によるネットワーク受信機４６２がテレビ４６６へ接続するためにネットワークプレーヤアダプタ４６４に直接接続されたシステム４６０のブロック図である。ネットワーク受信機は前述したようにＩＢＯＣ ＤＡＢ信号を受信し、受信機出力信号を発生させるが、この出力信号は有線または無線通信リンクによりアダプタ４６４へ送信される。アダプタは受信機出力中の符号化された音声及びデータを前述したネットワークプレーヤと同じ態様で復号した後、音声信号及びビデオ信号を発生させる。アダプタは、例えば、ＲＣＡ音声／映像ケーブルを用いてテレビ４６６に接続可能である。アダプタは任意のテレビに接続してテレビディスプレイ及び遠隔制御を使用することができる。かくして、アダプタ４６６のコンポーネントは、一体化されたユーザーインターフェイス、ディスプレイ及び音声出力がテレビにより提供されるため不要であるという点を除き図１２に示すネットワークプレーヤのコンポーネントと同様である。
【００５６】
多数のユーザーが多数の放送局の聴取を望む場合、同じローカルネットワークにおいて多数のネットワーク受信機を利用することができる。図１５は、本発明に従って構成した複数のネットワーク受信機４７２、４７４、４７６を含むシステム４７０のブロック図である。これらのネットワーク受信機はＩＢＯＣ ＤＡＢ信号を受信し、多数の受信機信号を発生させる。出力信号はその後、有線または無線通信リンクによりネットワークインターフェイス（ルーターまたはハブと呼ぶ）４７８へ送られる。その後、ルーターはそれらの信号を、例えば１またはそれ以上のテレビ４８０、電話４８２、コンピュータ４８４、パーソナル音声プレーヤ４８６及び／またはゲーム装置４８８を含む１またはそれ以上のネットワークプレーヤに経路指定する。テレビアダプタモジュール４８９を用いてネットワーク信号をテレビ対応信号に変換することが可能である。別個のネットワーク受信機装置を用いる代わりに、オプションとして、多数のネットワーク受信機ボードを単一のネットワーク受信機ラックに組み込むことが可能である。
【００５７】
上述した装置は、空中インバンド・オンチャンネル放送信号を受信し、放送信号から放送コンテンツを抽出するステップと、コンテンツを第１の受信器出力信号を介して複数のネットワークプレーヤ装置に配信するステップとを含む方法を実施するように作動できる。この方法はさらに、放送信号をベースバンド信号に変換し、ベースバンド信号をプロトコルスタックに従って処理することにより中間信号を発生させ、中間信号を処理して出力信号を発生させるステップを含むことができる。中間信号は暗号化可能である。コンテンツは単一の放送チャンネルで受信する多数のプログラム及びそして／またはデータを含むことができる。
【００５８】
本発明を幾つかの実施例に関連して説明したが、以下の特許請求の範囲において明らかにされた本発明の範囲から逸脱することなく図示説明した実施例に対して種々の変形及び設計変更が可能であることが当業者に明らかになるであろう。
【図１】
2010512070.tif 000003
【図２】
2010512070.tif 000004
【図３】
2010512070.tif 000005
【図４】
2010512070.tif 000006
【図５】
2010512070.tif 000007
【図６】
2010512070.tif 000008
【図７】
2010512070.tif 000009
【図８】
2010512070.tif 000010
【図９】
2010512070.tif 000011
【図１０ａ】
2010512070.tif 000012
【図１０ｂ】
2010512070.tif 000013
【図１１】
2010512070.tif 000014
【図１２】
2010512070.tif 000015
【図１３】
2010512070.tif 000016
【図１４】
2010512070.tif 000017
【図１５】
2010512070.tif 000018
【国際調査報告】
2010512070.tif 000019
2010512070.tif 000020
2010512070.tif 000021